(57)【要約】【課題】表示素子間の位置合わせ精度低下に起因する画質劣化が抑制される表示媒体及び表示装置を提供する。【解決手段】複数の表示素子１６の積層された表示媒体１０において、表示媒体１０を、複数の表示素子１６を積層した表示部１２と、表示部１２に表示される同一画素列に電圧を印加する複数の列電極２０を１単位として予め分割した該単位毎に対応して複数の配線用端子３７の設けられた接続用基板３９と、表示部１２に表示される同一画素列に電圧を印加する複数の列電極２０を１単位として予め分割した該単位毎に対応して複数の配線用端子３２の設けられた接続用基板３６と、から構成する。【選択図】図２
2009230067.tif 000002
【特許請求の範囲】
【請求項１】
表示基板と、
前記表示基板に間隙を持って対向して配置された背面基板と、
前記表示基板側に設けられ所定方向に配列された複数の線状の行電極と、
前記背面基板側に設けられ前記行電極の配列方向に交差する交差方向に配列された複数線状の列電極と、
前記表示基板と前記背面基板との間に設けられ前記行電極と前記列電極との間に形成された電界に応じて光学特性の変化する液晶層と、
を含む表示素子が複数積層され、前記複数の表示素子に含まれる前記液晶層の各々が互いに異なる光学特性を有する表示部と、
前記表示素子各々の前記複数の列電極の長手方向一端部に配設され、該複数の列電極を前記表示部に表示される画像の同一画素列に電圧を印加する複数の列電極からなる単位に予め分割した該単位毎に対応して設けられた複数の第１端子部を有する第１接続部と、
前記表示素子各々の前記複数の行電極の長手方向一端部に配設され、該複数の行電極を前記表示部に表示される画像の同一画素行に電圧を印加する複数の行電極からなる単位に予め分割した該単位毎に対応して設けられた複数の第２端子部を有する第２接続部と、
を備えた表示媒体。
【請求項２】
請求項１に記載の表示媒体と、前記第1端子部と前記第２端子部とに接続され、前記行電極と前記列電極との間に電圧を印加する電圧印加部と、を備えた表示装置。
【発明の詳細な説明】
【技術分野】
【０００１】
本発明は、表示媒体及び表示装置に関する。
【背景技術】
【０００２】
近年、パーソナルコンピュータの普及、インターネットを始めとする情報化社会の発達により、電子情報の一時的な閲覧を目的とする、いわゆる短寿命文書としての紙の消費は、益々増加する傾向にあり、森林資源保護などの地球環境保全や事務環境改善などの理由から、紙に代わる書き換え可能な表示媒体の実現が望まれている。中でも、無電源でのメモリ性を有し、且つ外部装置によって短時間で画像を書き換えることができる紙に代わる表示媒体として、例えば、液晶を用いた表示媒体が知られている。
【０００３】
この液晶を用いた表示媒体としては、一対の電極間に液晶層を設けて、対向する電極間に電界を形成することで生じる液晶層の光学特性の変化を利用した技術が知られており、互いに異なる光学特性を有する液晶層を有する複数の表示素子を積層することで、カラー表示の実現がなされている。このような表示媒体の駆動方式としては、表示素子を、液晶層を介して互いに交差する方向に延びるライン状の電極を配列させた構成とし、各ライン状の電極の交差する交点部に対応する領域を画素領域として、各画素領域に選択的に電圧を印加する単純マトリクス方式等が挙げられ、各画素に対応する領域に画像データに応じた電圧を順次印加することで、画像表示が行われている。
【０００４】
ここで、複数の表示素子を積層した構成とする場合には、各表示素子に表示される画像の各画素の位置を各表示素子間で揃える必要があり、高度な位置合わせが要求される。表示素子同士の位置合わせ方法としては、表示素子同士の端部を合わせる方法や、位置合わせマークを予め形成しておいてこのマークにより光学的な位置合わせを行う方法等が用いられるが、精度を出すのが困難であり、生産性向上が要求されていた。また、液晶パネル同士を積層させるときに、各液晶パネルに対して液晶層を駆動するための駆動回路を配線接続する作業についても煩雑であり生産性の向上が要求されていた。
【０００５】
この表示媒体の生産性の向上の実現を図る技術としては、例えば、特許文献１が知られている。特許文献１の技術によれば、厚み方向に積層された複数の基板間に、複数の液晶層を設けて、且つ、複数の液晶層の各液晶に電圧印加を行うための複数の電極配線用端子部を液晶表示層の基板の側縁部に階段状に位置ずれするように配列させた構成としている。
【特許文献１】特開２００２−７２２４３号公報
【発明の開示】
【発明が解決しようとする課題】
【０００６】
上記従来技術では、配線接続作業に起因する生産性の向上については改善されているが、表示素子間の位置合わせ精度の改善については、未だ満足できるレベルには至っておらず、位置合わせ精度の低下による表示画像の画質劣化が懸念され、更なる改良が望まれているのが現状である。
【０００７】
本発明は、表示素子間の位置合わせ精度低下に起因する画質劣化が抑制される表示媒体及び表示装置を提供することを目的とする。
【課題を解決するための手段】
【０００８】
上記課題は、以下の本発明により達成される。すなわち、
【０００９】
請求項１に係る発明は、表示基板と、記表示基板に間隙を持って対向して配置された背面基板と、前記表示基板側に設けられ所定方向に配列された複数の線状の行電極と、前記背面基板側に設けられ前記行電極の配列方向に交差する交差方向に配列された複数線状の列電極と、前記表示基板と前記背面基板との間に設けられ前記行電極と前記列電極との間に形成された電界に応じて光学特性の変化する液晶層と、を含む表示素子が複数積層され、前記複数の表示素子に含まれる前記液晶層の各々が互いに異なる光学特性を有する表示部と、前記表示素子各々の前記複数の列電極の長手方向一端部に接続され、該複数の列電極を前記表示部に表示される画像の同一画素列に電圧を印加する複数の列電極からなる単位に予め分割した該単位毎に対応して設けられた複数の第１端子部を有する第１接続部と、前記表示素子各々の前記複数の行電極の長手方向一端部に接続され、該複数の行電極を前記表示部に表示される画像の同一画素行に電圧を印加する複数の行電極からなる単位に予め分割した該単位毎に対応して設けられた複数の第２端子部を有する第２接続部と、を備えた表示媒体である。
【００１０】
請求項２に係る発明は、請求項１に記載の表示媒体と、前記第1端子部と前記第２端子部とに接続され、前記行電極と前記列電極との間に電圧を印加する電圧印加部と、を備えた表示装置である。
【発明の効果】
【００１１】
請求項１に記載の発明によれば、表示素子間の位置合わせ精度の向上が図れ、該位置合わせ精度の低下に起因する画質劣化が抑制される、という効果を奏する。
【００１２】
請求項２に記載の発明によれば、表示素子間の位置合わせ精度の向上が図れ、該位置合わせ精度の低下に起因する画質劣化が抑制される、という効果を奏する。
【発明を実施するための最良の形態】
【００１３】
本発明の表示媒体及び表示装置の一の実施の形態を図面に基づき説明する。
【００１４】
＜表示媒体＞
本実施の形態に係る表示媒体１０は、図１に示すように、複数の表示素子１６が積層された表示部１２と、接続用基板部１４と、を含んで構成されている。
【００１５】
本実施の形態では、複数の表示素子１６として、表示素子１６Ｒ、表示素子１６Ｇ、表示素子１６Ｙ、及び表示素子１６Ｂの４枚の表示素子１６が、接着層３１を介して順に積層された構成である場合を説明するが、２枚以上の表示素子１６が積層された構成であればよく、このような形態に限られない。
【００１６】
表示素子１６Ｒは、表示基板１８Ｒと背面基板２４Ｒとの間に、行電極２２Ｒ、液晶層３０Ｒ、及び列電極２０Ｒを順に積層した構成とされている。この表示基板１８Ｒと背面基板２４Ｒとの間は、間隙部材２６Ｒによって保持されている。
【００１７】
表示素子１６Ｇ、表示素子１６Ｙ、及び表示素子１６Ｂについても、表示素子１６Ｒと同様の構成とされている。具体的には、表示素子１６Ｇは、表示基板１８Ｇと背面基板２４Ｇとの間に、行電極２２Ｇ、液晶層３０Ｇ、及び列電極２０Ｇを順に積層した構成とされており、表示基板１８Ｇと背面基板２４Ｇとの間は、間隙部材２６Ｇによって保持されている。また、表示素子１６Ｙは、表示基板１８Ｙと背面基板２４Ｙとの間に、行電極２２Ｙ、液晶層３０Ｙ、及び列電極２０Ｙを順に積層した構成とされており、表示基板１８Ｙと背面基板２４Ｙとの間は、間隙部材２６Ｙによって保持されている。また、表示素子１６Ｂは、表示基板１８Ｂと背面基板２４Ｂとの間に、行電極２２Ｂ、液晶層３０Ｂ、及び列電極２０Ｂを順に積層した構成とされており、表示基板１８Ｂと背面基板２４Ｂとの間は、間隙部材２６Ｂによって保持されている。
【００１８】
なお、以下では、各部材について総称して説明する場合には、上記Ｒ、Ｇ、Ｂ、Ｙの符号を省略して説明するものとする。
【００１９】
なお、表示媒体１０が、本発明の表示媒体に相当し、表示部１２が、本発明の表示媒体の表示部に相当し、接続用基板部１４が、本発明の表示媒体の第１接続部及び第２接続部に相当する。また、表示素子１６が、本発明の表示媒体の表示素子に相当する。
【００２０】
表示基板１８、背面基板２４、及び接着層３１は、絶縁性（体積抵抗で１０１２Ωｃｍ以上、以下これに準ずる）を有している。また、表示基板１８、背面基板２４、及び接着層３１は、透光性を有している。なお、本実施の形態において、透光性とは、波長３８０ｎｍ〜７８０ｎｍの光の８０％以上を透過する性質を示している。
【００２１】
液晶層３０は、電場によって特定の色の光の選択反射状態及び透過状態を変調する機能を有し、且つ選択した状態が無電場で保持される性質の層である。各表示素子１６Ｒ、表示素子１６Ｇ、表示素子１６Ｙ、及び表示素子１６Ｂの各々に設けられている、液晶層３０Ｒ、液晶層３０Ｇ、液晶層３０Ｙ、及び液晶層３０Ｂの各々は、互いに異なる光学特性を有している。なお、異なる光学特性とは、電界が形成されることにより透過状態から選択反射状態へ変調したときにおける色相が目視で異なる程度に異なっていることを示している。すなわち、液晶層３０Ｒ、液晶層３０Ｇ、液晶層３０Ｙ、及び液晶層３０Ｂが各々電界によって特定の色の選択反射状態にあるときには、選択反射波長領域が異なることから、入射光のうち互いに異なる色の光が選択反射される。
【００２２】
これらの各液晶層３０には、カイラルネマチック液晶（コレステリック液晶）をゼラチンバインダー（高分子マトリックス）中に分散させたＰＤＬＣ（Ｐｏｌｙｍｅｒ  Ｄｉｓｐｅｒｓｅｄ  Ｌｉｑｕｉｄ  Ｃｒｙｓｔａｌ）構造が用いられる。なお、本実施の形態では、液晶層３０各々がＰＤＬＣ構造を採用する場合を説明するが、この構造に限ることなく、コレステリック液晶を、リブを介し電極間距離を固定したセルに配置する方式やカプセル液晶化することにより実現してもよい。また、液晶もコレステリック液晶に限ることなく、スメクチックＡ液晶、ネマチック液晶、ディスコティック液晶なども利用される。
【００２３】
上記特性を満たすために、例えば、液晶層３０としては、Ｂ（ブルー）色の光を選択反射するコレステリック液晶や、Ｇ（グリーン）色の光を選択反射するコレステリック液晶、Ｒ（レッド）の色を選択反射するコレステリック液晶等を採用すればよい。このような構成とすれば、良好なカラー表示が実現される。
【００２４】
図１及び図２に示すように、表示素子１６に設けられている列電極２０は、列方向（図２では紙面の上下方向）に延びるライン状（帯状）の電極であって、表示基板１８側の背面基板２４に対向する面の全面に渡る領域に複数設けられている。この複数の列電極２０は、所定間隔で互いに平行となるように、行方向に向かって所定間隔で配列されている。
行電極２２は、行方向（図２では紙面の左右方向、すなわち、列電極２０の長尺方向に直交する方向）に延びたライン状の電極であって、背面基板２４側の表示基板１８に対向する面の全面に渡る領域に複数設けられている。この複数の行電極２２は、上記列電極２０の配列方向に直交する直交方向（すなわち、列方向）に所定間隔で互いに平行となるように配列されている。
【００２５】
なお、行電極２２は、少なくとも、表示部１２に表示される画像を構成する複数の画素における同じ行を構成する画素（以下、同一画素行と称して説明する）に電圧を印加する行電極２２の数が、少なくとも２以上となるように、予め定められた間隔で配列されている。また、列電極２０についても同様に、少なくとも、表示部１２に表示される画像を構成する複数の画素における同じ列を構成する画素（以下、同一画素列と称して説明する）に電圧を印加する列電極２０の数が、少なくとも２以上となるように、予め定められた間隔で配列されている。
【００２６】
これらの行電極２２及び列電極２０各々の径及び配列間隔は、複数の表示素子１６を積層して表示部１２を構成するときの各画素間の位置合わせ精度向上の観点から、同じであることが好ましい。また、これらの行電極２２及び列電極２０各々の径及び配列間隔は、複数の表示素子１６間において同じとされていることが好ましい。
そして、これらの行電極２２及び列電極２０の配列間隔は、配線用端子３２間及び配線用端子３７間の距離と同じとされていることが好ましい。
【００２７】
なお、これらの行電極２２及び列電極２０は、表示部１２に表示する対象となる画像の各画素の占める大きさにもよるが、１つの画素領域に対して、５本以上の行電極２２及び列電極２０が対応することが好ましく、１０本以上の行電極２２及び列電極２０が対応する事が更に好ましい。
この行電極２２及び列電極２０各々の径及び配列間隔は、上述のように、表示部１２に表示する対象となる画像の各画素の占める大きさにもよるが、一例としては、径が５μｍ〜２０μｍであり、隣接する電極の間隔が５μｍ〜１５μｍ等に調整すればよい。
【００２８】
これらの表示素子１６は、所謂、単純マトリクス方式で駆動される。このため、行電極２２と列電極２０との交差する領域における電位差（すなわち、電界の大きさ）に応じて、液晶層３０の内の該交差する領域に位置された部分の光学特性が変化して、該液晶層３０に応じた色が呈示される。そして、表示部１２が視認方向（図１中、矢印Ｚ方向）側から視認されたときには、複数の液晶層３０（液晶層３０Ｒ、液晶層３０Ｇ、液晶層３０Ｙ、及び液晶層３０Ｂ）の混合色が表示部１２の色として視認される。
【００２９】
なお、上記列電極２０、及び行電極２２は、絶縁性の材料によって被覆された構成であってもよい。
【００３０】
接続用基板部１４は、表示部１２を構成する複数の表示素子１６の各々に設けられている。接続用基板部１４は、図２に示すように、表示素子１６の行電極２２の長尺方向端部に設けられた接続用基板３６と、表示素子１６の複数の列電極２０の長尺方向端部に設けられた接続用基板３９と、から構成されている。
【００３１】
この接続用基板部１４としての接続用基板３６及び接続用基板３９は、表示素子１６とは別体として構成されており、詳細を後述する表示媒体１０の製造方法における製造過程で各表示素子１６の列電極２０の長尺方向端部と、各表示素子１６の行電極２２の長尺方向端部と、に電気的に導通されるように固定化される。
【００３２】
図２及び図３に示すように、接続用基板３６は、基板３４上に複数の配線用端子３２が行電極２２の配列方向に複数配列された構成とされている。この複数の配線用端子３２の各々の配列方向長さ（図２中、矢印Ｘ方向）（表示素子１６に取り付けられたときの行電極２２の配列方向長さと同一）が、少なくとも複数の行電極２２を覆う長さであり、且つ各配線用端子３２間の該配列方向長さが同一で且つ各配線用端子３２間の距離も同一となるように設けられている。具体的には、この各配線用端子３２の、配列方向長さは、複数の行電極２２を、表示部１２に表示される同一画素行に電圧を印加する複数の行電極２２を１単位として予め分割した該単位毎に対応する長さとされている。このため、各配線用端子３２は、各々、対応する各単位に属する複数の行電極２２毎に、後述する書込装置１３から供給された電圧を供給可能に構成されている。
【００３３】
例えば、図４に示すように、各配線用端子３２の配列方向長さが、表示素子１６に設けられている列電極２０の１３本分の配列方向長さと同じ長さとなるように定められている場合には、後述する表示媒体１０の製造工程を経ることにより、表示部１２に接続用基板部１４が取り付けられることで、１つの画素行を構成するために１３本の列電極２０が対応した構成となる。
【００３４】
同様に、図２及び図３に示すように、接続用基板３９は、基板３８上に、複数の配線用端子３７が列電極２０の配列方向に複数配列された構成とされている。この複数の配線用端子３７の各々は、表示素子１６に取り付けられたときの列電極２０の配列方向長さが、少なくとも複数の列電極２０を覆う長さであり、且つ該配列方向の長さが同一となるように構成されている。具体的には、この各配線用端子３７の、接続用基板３９が表示素子１６に取り付けられたときの列電極２０の配列方向の長さは、複数の列電極２０を、表示部１２に表示される同一画素列に電圧を印加する複数の列電極２０を１単位として予め分割した該単位毎に対応する長さとされている。このため、各配線用端子３７は、各々、対応する各単位に属する複数の列電極２０毎に、後述する書込装置１３から供給された電圧を供給可能に構成されている。
【００３５】
例えば、図４に示すように、各配線用端子３７の配列方向長さが、表示素子１６に設けられている行電極２２の１３本分の配列方向長さと同じ長さとなるように定められている場合には、後述する表示媒体１０の製造工程を経ることにより、表示部１２に接続用基板部１４が取り付けられることで、１つの画素行を構成するために１３本の行電極２２が対応した構成となる。
【００３６】
例えば、図４に示すように、表示媒体１０として構成された後の状態においては、配線用端子３７は、同一画素列に電圧を印加する複数の列電極２０の単位毎に設けられ、複数の配線用端子３７１〜配線用端子３７ｎ（ｎは、２以上の整数）から構成された状態となっている。これらの複数の配線用端子３７１〜配線用端子３７ｎは、基板３８上において、複数の列電極２０の配列方向に沿って配列されている。
例えば、表示部１２に表示される画像の各画素に対応する領域７４（図４では、画素領域７４１〜画素領域７４４）の内の、同一画素列として配列された画素領域７４１及び画素領域７４２へ同時に同じ電圧値の電圧が印加されるように、該画素領域７４１及び画素領域７４２の画素列へ電圧を印加可能な複数（図４に示す例では１３本）の列電極２０が１つの単位として規定され、この単位を構成する列電極２０１〜列電極２０１３に対して、１つの配線用端子３７１が電気的に接続された状態となっている。同様にして、画素領域７４３及び画素領域７４４の画素列へ電圧を印加可能な単位の列電極２０としての、列電極２０１４〜列電極２０２６には、配線用端子３７２が電気的に接続された状態となっている。
【００３７】
このため、配線用端子３７１に後述する書込装置１３から電圧が印加されることで、該配線用端子３７１に接続された列電極２０１〜２０１３へ同じ電圧値の電圧が同じタイミングで印加される。また、配線用端子３７２に書込装置１３から電圧が印加されることで、該配線用端子３７２に接続された列電極２０１４〜２０２６へ同じ電圧値の電圧が同じタイミングで印加される。
【００３８】
同様に、複数の列電極２０の内のその他の列電極についても、同じ単位毎に配線用端子３７が接続された状態となっている。
【００３９】
配線用端子３２についても同様に、例えば、図４に示すように、表示媒体１０として構成された後の状態においては、配線用端子３２は、同一画素行に電圧を印加する複数の行電極２２の単位毎に設けられ、複数の配線用端子３２１〜配線用端子３２ｎ（ｎは、２以上の整数）から構成された状態となる。これらの複数の配線用端子３２１〜配線用端子３２ｎは、基板３４上において、複数の行電極２２の配列方向に沿って配列されている。
【００４０】
例えば、表示部１２に表示される画像の各画素に対応する領域７４（図４では、画素領域７４１〜画素領域７４４）の内の、同一画素行として配列された画素領域７４１及び画素領域７４３へ同時に同じ電圧値の電圧が印加されるように、該画素領域７４１及び画素領域７４３の画素列へ電圧を印加可能な複数（図４に示す例では１３本）の行電極２２が１つの単位として規定され、この単位を構成する行電極２２１〜行電極２２１３に対して、１つの配線用端子３２１が電気的に接続された状態となっている。同様にして、画素領域７４２及び画素領域７４４の画素行へ電圧を印加可能な単位の行電極２２としての、行電極２２１４〜行電極２２２６には、配線用端子３２２が電気的に接続された状態となっている。
【００４１】
このため、配線用端子３２１に書込装置１３から電圧が印加されることで、該配線用端子３２１に接続された行電極２２１〜２２１３へ同じ電圧値の電圧が同じタイミングで印加される。また、配線用端子３２２に書込装置１３から電圧が印加されることで、該配線用端子３２２に接続された行電極２２１４〜２２２６へ同じ電圧値の電圧が同じタイミングで印加される。
【００４２】
同様に、複数の行電極２２の内のその他の列電極についても、同じ単位毎に配線用端子３２が接続された状態となっている。
【００４３】
＜表示媒体の製造方法＞
このような構成の表示媒体１０は、複数の表示素子１６を積層させて表示部１２を構成した後に、表示部１２に含まれる各表示素子１６の各々について、上記接続用基板部１４を順次取り付けることによって構成される。
【００４４】
詳細には、まず、図５及び図６に示すように、表示素子１６Ｒ上に、接着層３１を介して表示素子１６Ｇ、表示素子１６Ｙ、及び表示素子１６Ｂを順次積層させて、表示部１２を作製する。
【００４５】
なお、本実施の形態では、図５〜図１１に示すように、積層させる対象となる複数の表示素子１６各々の、背面基板２４及び背面基板２４上に積層された行電極２２の側縁部及び列電極２０の側縁部の各々は、積層された複数の表示素子１６の表示基板１８の間からはみ出した構成とされている。
【００４６】
詳細には、図６（Ａ）及び図６（Ｂ）に示すように、これらの複数の表示素子１６各々の、背面基板２４及び背面基板２４上に積層された各行電極２２の側縁部は、複数の表示素子１６が積層されたときに、下層側の表示素子１６から上層側の表示素子１６に向かって、段階的に短くなるように階段状に位置ずれされて構成されているとする。
また、図６（Ａ）及び図６（Ｃ）に示すように、これらの複数の表示素子１６各々の、背面基板２４及び背面基板２４上に積層された列電極２０の側縁部は、複数の表示素子１６が積層されたときに、下層側の表示素子１６から上層側の表示素子１６に向かって、段階的に長くなるように階段状に位置ずれされて構成されているとする。
【００４７】
次に、表示素子１６Ｒ、表示素子１６Ｇ、表示素子１６Ｙ、及び表示素子１６Ｂが順次積層されて構成された表示部１２の内の、最も下層側に設けられている表示素子１６Ｒに、接続用基板部１４を取り付ける。具体的には、図６（Ａ）及び図７に示すように、接続用基板３６の配線用端子３２の設けられている側が表示素子１６Ｒの行電極２２Ｂに導電性接着層（図示省略）を介して向かい合うように、接続用基板３６を設置する。
このとき、上述のように、接続用基板３６の、基板３４上に設けられた複数の配線用端子３２は、同一画素行に電圧を印加する複数の行電極２２の単位毎に設けられ、基板３４上において、所定方向に配列されていることから、基板３４上に設けられた複数の配線用端子３２の配列方向が、行電極２２の配列方向と一致するように接続用基板３６を配置することで、容易に、各配線用端子３２の各々が、同一画素行に電圧を印加する複数の行電極２２の単位毎に対応して電気的に接続されることとなる。
【００４８】
次に、図６（Ｂ）及び図８に示すように、接続用基板３６の配設された表示素子１６Ｒ上に積層されている表示素子１６Ｇに、表示素子１６Ｇに配設した接続用基板３６と同じ接続用基板３６を用意して、これらの接続用基板３６を配設する。
【００４９】
このとき、表示素子１６Ｒに配設されている接続用基板３６上の各配線用端子３２と、表示素子１６Ｇに配設する接続用基板３６上の各配線用端子３２との位置が一致するように積層する。この位置合わせは、表示素子１６Ｒに配設されている接続用基板３６の端部と、対応する端部が一致するように表示素子１６Ｇに接続用基板３６を配設することで行ってもよいし、予め各接続用基板３６に位置合わせマーク４０を設けておいて、この位置合わせマーク４０を用いて位置合わせを行っても良い。
位置合わせマーク４０を用いる場合には、例えば、図１１に示すように、下層側の表示素子１６に配設されている接続用基板３６の位置合わせマーク４０の位置と、上層側の表示素子１６に配設する接続用基板３６の位置合わせマーク４０の位置と、が一致するように配設することで、容易に、表示素子１６Ｒに配設されている接続用基板３６上の各配線用端子３２と、表示素子１６Ｇに配設する接続用基板３６上の各配線用端子３２との位置が一致するように、容易に積層が行われる。
【００５０】
上述のように、接続用基板３６の、基板３４上に設けられた複数の配線用端子３２は、同一画素行に電圧を印加する複数の行電極２２の単位毎に設けられ、基板３４上において、所定方向に配列されており、接続用基板３９の、基板３８上に設けられた複数の配線用端子３７は、同一画素列に電圧を印加する複数の列電極２０の単位毎に設けられ、基板３８上において、所定方向に配列されていることから、上述のように簡易な位置合わせで表示素子１６Ｇに接続用基板３６及び接続用基板３９を配設することで、表示素子１６Ｒと表示素子１６Ｇとの間の画素同士の位置ずれを生じることなく、容易に、表示素子１６Ｒ上の表示素子１６Ｇが設けられた構成が実現される。
【００５１】
次に、表示素子１６Ｇ上に積層された表示素子１６Ｙ、表示素子１６Ｙ上に積層された表示素子１６Ｂについても同様に、下層側の表示素子１６に配設されている接続用基板３６及び接続用基板３９の各々と位置合わせを行い、接続用基板３６及び接続用基板３９を配設すればよい（図６（Ｂ）及び図８〜図１０参照）。
【００５２】
なお、詳細は省略するが、図６（Ｂ）に示すように、接続用基板３９についても同様にして、接続用基板３９の配線用端子３７の設けられている側が表示素子１６Ｂの列電極２０Ｂに導電性接着層（図示省略）を介して向かい合うように配線用基板３９を設置し、且つ、基板３８上に設けられた複数の配線用端子３７の配列方向が、列電極２０の配列方向と一致するように接続用基板３９を配置することで、容易に、各配線用端子３７の各々が、同一画素列に電圧を印加する複数の列電極２０の単位毎に対応して電気的に接続されることとなる。
【００５３】
同様にして、表示素子１６Ｂに配設されている接続用基板３９上の各配線用端子３７と、表示素子１６Ｙに配設する接続用基板３９上の各配線用端子３７との位置が一致するように、同様にして位置合わせを行うことで、表示素子１６Ｙに接続用基板３９を配設すればよい。また、表示素子１６Ｇ及び表示素子１６Ｒについても同様に、既に配設されている接続用基板３９上の各配線用端子３７と、接続用基板３９の配設対象の表示素子１６に配設する接続用基板３９上の各配線用端子３７との位置が一致するように、同様にして位置合わせを行うことで、各表示素子１６に順次接続用基板３９を配設すればよい（図６（Ｃ）参照）。
【００５４】
このようにして、図１１に示すように、複数の表示素子１６Ｒ、表示素子１６Ｇ、表示素子１６Ｙ、及び表示素子１６Ｂが順に積層された構成の表示部１２について、各々の表示素子１６に接続用基板３６及び接続用基板３９を配設することで、表示媒体１０が構成される。
【００５５】
従来技術では、複数の表示素子１６を積層させて表示媒体１０を構成する場合には、表示媒体１０として構成されたときに、各表示素子１６に表示される画像の各画素に対応する領域が一致するように、各表示素子１６に設けられている列電極や行電極について精度良く位置合わせを行いながら積層させる必要があり、画素に対応する領域にずれが生じる場合があり、画質劣化が懸念されていた。
【００５６】
しかし、本実施の形態の表示媒体１０においては、表示素子１６に表示される画像の各画素に対応する領域が、複数の行電極２２及び複数の列電極２０から構成されるように、予め複数の行電極２２及び複数の列電極２０を表示素子１６に設けた構成とし、且つ、複数の表示素子１６を積層して表示部１２を作製した後に、複数の配線用端子３２の設けられた接続用基板３６、及び複数の配線用端子３７の設けられた接続用基板３９を、最下層側に積層された表示素子１６に配設した後に、上層側に積層された表示素子１６に向かって順に、下層側の表示素子１６に配設された接続用基板３６と位置合わせを行って接続用基板３６及び接続用基板３９の各々を配設することで、表示媒体１０を作製する。
【００５７】
このように、本実施の形態の表示媒体１０においては、表示部１２と接続用基板部１４とが別体として構成されており、製造過程においては、複数の表示素子１６の各々の各行電極２２及び列電極２０の位置合わせを行いながら表示媒体１０を作製するのではなく、単に、複数の表示素子１６を積層させて作製した表示部１２に、下層側または上層側から上層側または下層側へ向かって順に（行電極２２側に設ける場合には下層側から上層側へ向かって、列電極２０側に設ける場合には上層側から下層側へ向かって）位置合わせをしながら接続用基板３６及び接続用基板３９の各々を順に配設していくことで、表示媒体１０を作製するので、結果的には、表示素子１６の画素間の位置ずれの抑制された表示媒体１０が簡単に製造される。
【００５８】
また、本実施の形態では、複数の表示素子１６各々の、背面基板２４及び背面基板２４上に積層された行電極２２の側縁部及び列電極２０の各々は、複数の表示素子１６が積層されたときに、下層側の表示素子１６から上層側の表示素子１６に向かって、階段状に位置ずれされるように構成されていることから、下層側または上層側の表示素子１６に配設された接続用基板３６及び接続用基板３９に対する、上層側または下層側の接続用基板３６及び接続用基板３９の位置合わせが容易となる。
【００５９】
＜表示装置＞
次に、上記表示媒体１０を備えた表示装置１１について説明する。図１２には、本実施の形態に係る表示装置１１の電気的な構成をブロック図として示した。
【００６０】
表示装置１１は、上記説明した表示媒体１０と、書込装置１３と、を含んで構成されている。この書込装置１３には、表示媒体１０を装着するためのスロット（図示省略）が設けられており、このスロット（図示省略）に表示媒体１０が装着される。
【００６１】
書込装置１３は、コネクタ６４、コネクタ６５、行電極駆動回路６８、列電極駆動回路６６、シーケンサ７０、及び画像入力装置７２を含んで構成されている。コネクタ６５と、列電極駆動回路６６は、信号授受可能に接続されており、コネクタ６４と行電極駆動回路６８は信号授受可能に接続されている。また、行電極駆動回路６８及び列電極駆動回路６６は、シーケンサ７０に信号授受可能に接続されており、シーケンサ７０は、画像入力装置７２に信号授受可能に接続されている。
【００６２】
図示を省略するスロットに表示装置１１が装着されることで、表示媒体１０の複数の表示素子１６の各々は、書込装置１３に電気的に接続された状態となる。
詳細には、各表示素子１６の行電極２２が、各画素行に対応する単位毎に異なる配線用端子３２を介して行電極駆動回路６８に電気的に接続され、各表示素子１６の列電極２０が、各画素列に対応する単位毎に異なる配線用端子３７を介して、コネクタ６５によって、列電極駆動回路６６に電気的に接続される。
【００６３】
列電極駆動回路６６及び行電極駆動回路６８は、各々シーケンサ７０と、図示を省略する外部電源と、に接続されている。シーケンサ７０は、画像入力装置７２に接続されており、画像入力装置７２から入力される画像情報に応じて、列電極駆動回路６６及び行電極駆動回路６８に信号を出力する。
【００６４】
このような表示装置１１では、シーケンサ７０から各表示素子１６の各配線用端子３２及び配線用端子５７毎の画像書込信号（走査信号）が行電極駆動回路６８に送られ、行電極駆動回路６８から、各表示素子１６の各々の各配線用端子３２及び各配線用端子３７を介して、各画素行に対応する行電極２２及び列電極２０の単位毎に、画像書込み電圧（以下、走査電圧という）が順次印加される。
【００６５】
同時にこの各画素行に対応する行電極２２及び列電極２０単位毎に順次印加される走査電圧の印加と同期して、走査電圧が印加される各配線用端子３２及び各配線用端子３７に接続された行電極２２及び列電極２０に対応した画像情報信号がシーケンサ７０から列電極駆動回路６６へ送られる。
列電極駆動回路６６は、画像情報に応じた画像書込電圧（以下、画像信号電圧という）を各配線用端子３２及び配線用端子３７を介して、これらの接続された各列電極２０及び行電極２２へ一斉に印加する。以降同様に、走査方向（行方向））に順次電圧を印加することによって、所望の画像が表示媒体１０に表示される。
【００６６】
ここで、上述のように、表示媒体１０は、複数の表示素子１６の画素領域間の位置合わせが精度良くなされていることから、表示媒体１０へ表示される画像の各画素の位置ずれが抑制され、画質劣化が抑制される。
【図面の簡単な説明】
【００６７】
【図１】本発明の実施の形態における表示媒体の一例を示す模式図であり、図２に示す表示媒体のＡ−Ａ断面図である。
【図２】本発明の実施の形態における表示媒体の一例を示す模式図である。
【図３】配線用基板を示す模式図である。
【図４】表示媒体の電気的構成を一部拡大して示した模式図である。
【図５】本実施の形態に係る表示媒体を示す模式図である。
【図６】本実施の形態に係る表示媒体の製造工程を示す模式図であり、（Ａ）は、表示媒体を示す模式図であり、（Ｂ）は図５及び図６（Ａ）に示す表示媒体のＡ−Ａ’断面図とこれに接続された接続用基板部を示す模式図であり、（Ｃ）は図５及び図６（Ｂ）に示す表示媒体のＢ−Ｂ’断面図とこれに接続された接続用基板部を示す模式図である。
【図７】本実施の形態に係る表示媒体の製造工程を示す模式図である。
【図８】本実施の形態に係る表示媒体の製造工程を示す模式図である。
【図９】本実施の形態に係る表示媒体の製造工程を示す模式図である。
【図１０】本実施の形態に係る表示媒体の製造工程を示す模式図である。
【図１１】本実施の形態に係る表示媒体を示す模式図である。
【図１２】本発明の実施の形態における表示装置を示す模式図である。
【符号の説明】
【００６８】
１０   表示媒体
１１   表示装置
１２   表示部
１３   書込装置
１４   接続用基板部
１６   表示素子
２０   列電極
２２   行電極
３０   各液晶層
３２   配線用端子
３４   基板
３６   接続用基板
３７   配線用端子
３８   基板
３９   接続用基板
【図１】
2009230067.tif 000003
【図２】
2009230067.tif 000004
【図３】
2009230067.tif 000005
【図４】
2009230067.tif 000006
【図７】
2009230067.tif 000007
【図８】
2009230067.tif 000008
【図９】
2009230067.tif 000009
【図１０】
2009230067.tif 000010
【図１１】
2009230067.tif 000011
【図１２】
2009230067.tif 000012
【図５】
2009230067.tif 000013
【図６】
2009230067.tif 000014